(57)【要約】【課題】変形抑制手段を有し、ウエスト弾性体による弾性域の伸長応力が比較的に低い場合であっても、着用中にウエスト域の両側部がたくれ落ちることのない使い捨てのパンツ型着用物品の提供。【解決手段】使い捨て着用物品においては、第１ウエスト域１４の側縁部１４ｄの近傍において変形抑制手段２０が取り付けられており、第１及び第２ウエスト域１３，１４のうちの少なくとも第１ウエスト域１３は横方向Ｘにおいて弾性を有する弾性域を含む。変形抑制手段２０は、第１ウエスト域１４に固定されたシート部材から構成されており、第１ウエスト域１４の弾性域が収縮することによって第１ウエスト域１４から外方へ凸曲する少なくとも１つの凸曲部７１を有し、第１ウエスト域１４と凸曲部７１との間には縦方向Ｙへ延びるスペースが形成される。【選択図】図６
2015134020.tif 000002
【特許請求の範囲】
【請求項１】
縦方向及びそれに直交する横方向を有し、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合された使い捨てのパンツ型着用物品において、
前記第１ウエスト域の側縁部の近傍において変形抑制手段が取り付けられており、
前記第１及び第２ウエスト域のうちの少なくとも前記第１ウエスト域は前記横方向において弾性を有する弾性域を含み、
前記変形抑制手段は前記第１ウエスト域に固定されたシート部材から構成されており、前記第１ウエスト域の弾性域が収縮することによって前記第１ウエスト域から外方へ凸曲する少なくとも１つの凸曲状部を有し、前記第１ウエスト域と前記凸曲状部との間には前記縦方向へ延びるスペースが形成されることを特徴とする前記着用物品。
【請求項２】
前記変形抑制手段は、前記第１ウエスト域に固定された近位部と、前記近位部に分離可能又は分離不能に固定された遠位部とを有し、前記近位部が前記第１ウエスト域とともに収縮することによって、前記遠位部に前記凸曲状部が形成される請求項１に記載の着用物品。
【請求項３】
前記近位部と前記遠位部とが前記横方向において互いに離間する複数の固定部を介して固定されており、前記固定部間に位置する前記遠位部に前記凸曲状部が形成される請求項１又は２に記載の着用物品。
【請求項４】
前記変形抑制手段を構成するシート部材が、前記近位部を形成する内層シートと、前記遠位部を形成する外層シートとから構成される請求項１に記載の着用物品。
【請求項５】
前記外層シートの剛性が前記内層シートの剛性よりも高い請求項２〜４のいずれかに記載の着用物品。
【請求項６】
前記変形抑制手段が繊維不織布シートから形成される請求項１〜５のいずれかに記載の着用物品。
【請求項７】
前記変形抑制手段において、前記遠位部は、前記第２ウエスト域の外面に剥離可能に掛止めするための掛止め域を有し、折曲された状態で仮止め部を介して前記近位部に仮り止めされており、前記仮止め部は、前記横方向において離間する第１及び第２仮止め部を有し、前記掛止め域は、前記第１及び第２仮止め部間における前記遠位部の内面に位置する請求項２に記載の着用物品。
【請求項８】
前記掛止め域は、メカニカルファスナのフック要素を有するフックシートから形成されており、前記繊維不織布シートの折り畳まれた状態における、前記掛け止め域の存在領域を除く部分の前記変形抑制手段の両側縁どうしが互いに近づく方向のＫＥＳ曲げ剛性値は０．０４〜０．４４ｇｆ・ｃｍ２／ｃｍ、前記掛止め域の存在領域における前記変形抑制手段の両側縁どうしが互いに近づく方向のＫＥＳ曲げ剛性値は約０．５６〜１．８ｇｆ・ｃｍ２／ｃｍである請求項７に記載の着用物品。
【請求項９】
前記遠位部のうちの前記近位部と前記掛止め域との間には、前記近位部よりも剛性の高い高剛性域が形成される請求項７及び８に記載の着用物品。
【請求項１０】
前記遠位部は、折曲された状態で前記横方向において離間する第１及び第２仮止め部を介して前記近位部に仮り止めされており、前記近位部と対向して位置する第１遠位部と、前記第１遠位部の外面側に位置し、かつ、その内面に前第２ウエスト域の外面に剥離可能に掛止めするための掛止め域を有する第２遠位部とを有し、前記第１遠位部の前記近位部と対向する面には、両端が前記第１及び第２仮止め部と重なる固定部を介して前記近位部に固定されたシート片が配置される請求項２に記載の着用物品。
【発明の詳細な説明】
【技術分野】
【０００１】
本発明は、使い捨てのパンツ型着用物品に関し、より詳しくは、ウエスト域の変形抑制手段を有する使い捨てのパンツ型おむつに関する。
【背景技術】
【０００２】
従来、ウエスト域の変形抑制手段を有する使い捨てのパンツ型着用物品は公知である。例えば、特許文献１には、前後ウエスト域に複数条のウエスト弾性体が配設されており、後ウエスト域におけるウエスト開口とレッグ開口との間に配置された一対の変形抑制手段を有する使い捨てのパンツ型の着用物品開示されている。変形抑制手段は、接着剤を塗布した接合域を介して後ウエスト域の一部に固定される近位部と、前ウエスト域に掛け止めされる遠位部とを有する。
【先行技術文献】
【特許文献】
【０００３】
【特許文献１】特開２００７−２２２２５６号公報
【発明の概要】
【発明が解決しようとする課題】
【０００４】
特許文献１に開示の着用物品によれば、着用中にウエスト域の変形抑制手段を使用することによって、ウエスト周りの大きさを調整して種々のサイズの着用者にもフィットさせてずり落ちを防止することができるとともに、着用後に、排泄物を包み込むように着用物品を丸め、変形抑制手段で丸めた状態が維持できるように掛止めすることによって、衛生的に廃棄することができる。また、変形抑制手段によるズレ止めが可能であるため、前後ウエスト域の両側部におけるウエスト弾性体の本数、離間寸法等を調整することによって、その弾性域の伸長応力を比較的に低く設定することができる。このように、ウエスト弾性体を比較的に疎に配置することによって、ウエスト弾性体を固定するための接着剤等によって弾性域が硬くなったり、ごわついたりすることはなく、柔軟な肌当たりを有する。
【０００５】
しかし、弾性域全体の伸長応力が低減されることによって、変形抑制手段によって締め付けられている領域以外はフィット性が低く、着用中に前後ウエスト域の両側部がたくれておむつの横方向へ延びるギャザーが発生し、おむつ全体がずれ落ちやすくなるおそれがある。
【０００６】
そこで、本発明の課題は、従来の技術の改良であって、ウエスト域の変形抑制手段を有し、ウエスト弾性体による弾性域の伸長応力が比較的に低い場合であっても、着用中にウエスト域の両側部に横方向へ延びるギャザーが発生しておむつ全体がずれ落ちやすくなることのない使い捨てのパンツ型着用物品の提供に関する。
【課題を解決するための手段】
【０００７】
本発明は、縦方向及びそれに直交する横方向を有し、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合された使い捨てのパンツ型着用物品に関する。
【０００８】
本発明の使い捨てのパンツ型着用物品は、前記第１ウエスト域の側縁部の近傍において変形抑制手段が取り付けられており、前記第１及び第２ウエスト域のうちの少なくとも前記第１ウエスト域は前記横方向において弾性を有する弾性域を含み、前記変形抑制手段は前記第１ウエスト域に固定されたシート部材から構成されており、前記第１ウエスト域の弾性域が収縮することによって前記第１ウエスト域から外方へ凸曲する少なくとも１つの凸曲状部を有し、前記第１ウエスト域と前記凸曲状部との間には前記縦方向へ延びるスペースが形成されることを特徴とする。
【発明の効果】
【０００９】
本発明に係る使い捨てのパンツ型着用物品の一つ以上の実施態様によれば、第１ウエスト域の側部に変形抑制手段が取り付けられており、変形抑制手段は、凸曲状を有し、第１ウエスト域との間において縦方向へ延びるスペースが形成されて所要の剛性が付与されるので、たとえ第１ウエスト域の弾性域によるフィット性が比較的に低い場合であっても、第１ウエスト域の側部における横皺の形成を抑制し、たくれやずれ落ちを防止することができる。
【図面の簡単な説明】
【００１０】
図面は、本発明の特定の実施の形態を示し、発明の不可欠な構成ばかりでなく、選択的及び好ましい実施の形態を含む。
【図１】本発明の第１実施形態における使い捨て着用物品の一例として示す、背面側から見た使い捨ておむつの斜視図。
【図２】おむつのシ―ム部を剥離して前後方向に伸展した状態をその内面から見た一部破断展開平面図。
【図３】おむつの分解斜視図。
【図４】図２のＩＶ−ＩＶ線に沿う模式的断面図。
【図５】使用状態におけるおむつを側面から視た図。
【図６】図１のＶＩ−ＶＩ線に沿う断面図。
【図７】第２実施形態における図６と同様の図。
【図８】第３実施形態における図６と同様の図。
【図９】第４実施形態における図６と同様の図。
【図１０】第４実施形態における変形抑制手段を展開して、前ウエスト域に掛け止めした状態を示す、おむつを正面から視た斜視図。
【図１１】図１０のＸＩ―ＸＩ線に沿う模式的断面図。
【図１２】第４実施形態における変形抑制手段を使用しておむつを丸めた状態を示す図。
【図１３】第５実施形態における図６と同様の図。
【図１４】第５実施形態における図１１と同様の図。
【図１５】第６実施形態における図６と同様の図。
【図１６】第６実施形態における変形抑制手段を展開して、前ウエスト域に掛け止めした状態を示す、おむつを側面から視た図。
【図１７】第６実施形態における図１６のＸＶＩＩ−ＸＶＩＩ線に沿う断面図。
【発明を実施するための形態】
【００１１】
＜第１実施形態＞
図１〜３を参照すると、本発明の使い捨てのパンツ型着用物品の一例として示す使い捨ておむつ１０は、縦方向Ｙ及びそれに直交する横方向Ｘと、縦軸Ｐ及びそれに直交する横軸Ｑとを有する。
【００１２】
おむつ１０は、肌対向面及びそれに対向する非肌対向面と、ウエスト周り方向へ延びる環状の弾性ウエストパネル１１と、弾性ウエストパネル１１と接合される吸収性シャーシ１２と、前ウエスト域（第１又は第２ウエスト域の一方）１３と、後ウエスト域（第１又は第２ウエスト域の他方）１４と、前後ウエスト域１３，１４間に位置するクロッチ域１５とを含む。おむつ１０は、縦軸Ｐに関して対称に形成されており、弾性ウエストパネル１１は、前ウエスト域１３に位置する前ウエストパネル１６と、後ウエスト域１４に位置する後ウエストパネル１７とから構成される。後ウエスト域１４の両側部１８の外面には、それぞれ、変形抑制手段２０が固定される。ここで、「後ウエスト域１４の両側部１８」とは、それぞれ、後ウエスト域１４の両側縁１４ｃ、１４ｄから吸収性シャーシ１２の両側縁までの部分を意味する。また、「変形抑制手段２０」とは、着用状態において、両側部１８のたくれ落ちや捲れの原因となるような横皺の発生及びそれによる両側部１８の変形を抑制しうる手段を意味する。
【００１３】
前ウエスト域１３は、横方向Ｘへ延びる内端縁１３ａと、縦方向Ｙにおいて内端縁１３ａと離間対向して横方向Ｘへ延びる外端縁１３ｂと、内外端縁１３ａ，１３ｂ間において縦方向Ｙへ延びる両側縁１３ｃ，１３ｄとによって画定された横長矩形状を有する。
【００１４】
後ウエスト域１４は、横方向Ｘに延びる中間内端縁１４ａと、縦方向Ｙにおいて中間内端縁１４ａと離間対向して横方向Ｘに延びる外端縁１４ｂと、外端縁１４ｂから内方へ直状に延びる両側縁１４ｃ，１４ｄと、両側縁１４ｃ，１４ｄと中間内端縁１４ａとを曲状にむすぶ両側内端縁１４ｅ，１４ｆとによって画定された略台形状を有する。
【００１５】
前ウエスト域１３の両側縁１３ｃ，１３ｄのそれぞれと後ウエストパネル１４の両側縁１４ｃ，１４ｄとは、互いに重ね合わされ、縦方向Ｙへ断続的に位置するサイドシーム２３によって連結されておむつ１０の両側縁部１９が形成され、ウエスト開口２４及び一対のレッグ開口とが画成される。サイドシーム２３は、公知の接合手段、例えば、熱エンボス／デボス加工、ソニック加工等の各種の熱溶着手段によってなされる。図５に示すとおり、変形抑制手段２０は、後ウエスト域１４の両側部１８に固定された近位部２１と、ウエスト回り方向へ並び、かつ、外方へ凸曲する複数の凸曲部分を有する遠位部２２とを有する。
【００１６】
本実施形態において、変形抑制手段２０は、後ウエスト域１４の両側部１８に取り付けられているが、後記の本発明の効果を奏する限りにおいて、一方の側部１８にのみ取り付けられていてもよいし、前ウエスト域１３の両側部又はその一方に取り付けられていてもよい。
【００１７】
図３を参照すると、前ウエストパネル１６は、前ウエスト域１３を画定する矩形状の前ウエストシート２５を有する。前ウエストシート２５は、横方向Ｘに延び、互いに縦方向Ｙにおいて離間対向する内外端縁２５ａ，２５ｂと、縦方向Ｙに延び、内外端縁２５ａ，２５ｂ間に位置する両側縁２５ｃ，２５ｄとから形成される。前ウエストシート２５は、吸収性シャーシ１２の前端部１２ａから縦方向の外側に位置する折曲部２６をさらに有する。折曲部２６は、横方向Ｘ延びる折曲ライン２６ａに沿って縦方向Ｙの内側に折曲されて後記の前弾性シート４８及び吸収性シャーシ１２に固定される。前ウエストシート２５の折曲部２６から内方に位置する主体部２７と折曲部２６との間、主体部２７と吸収性シャーシ１２の前端部１２ａとの間には、複数条のストリング状又はストランド状の前ウエスト弾性体２８が横方向Ｘに伸長状態で収縮可能に固定される。
【００１８】
後ウエストパネル１７は、後ウエスト域１４を画定する台形状の後ウエストシート３０を有する。後ウエストシート３０は、横方向Ｘに延び、互いに縦方向Ｙにおいて離間対向する中間内端縁３０ａ及び外端縁３０ｂと、縦方向Ｙへ延びる両側縁３０ｃ，３０ｄと、両外側縁３０ｃ，３０ｄと内端縁３０ａとを結ぶ凹曲状の両側内端縁３０ｅ，３０ｆとから形成される。後ウエストシート３０は、主体部３１と、吸収性シャーシ１２の後端部１２ｂの縦方向Ｙの外側に位置し、両側縁３０ｃ，３０ｄ間において横方向Ｘへ延びる外折曲ライン３２と、両側内端縁３０ｅ，３０ｆ間において横方向Ｘに延びる内折曲ライン（図示せず）と、外折曲ライン３２を介して後ウエストシート３０の内面側に折曲されて吸収性シャーシ１２の後端部１２ｂの内面と主体部３１の内面とに固定される外折曲部３３と、内折曲ラインに沿って後ウエストシート３０の内面側へ折曲されて、主体部３１の内面に固定される内折曲部３４とを有する。
【００１９】
後ウエストシート３０の主体部３１と、外折曲部３３及び吸収性シャーシ１２の後端部１２ｂとの間には、複数条のストランド状又はストリング状の後ウエスト弾性体３５が横方向Ｘに伸長状態で収縮可能に配設される。また、内折曲部３４内には、横方向Ｘへ延びるストリング状又はストランド状の臀部弾性体３６が伸長状態で収縮可能に配設される。
【００２０】
前後ウエストシート２５，３０としては、質量が約１０〜４０ｇ／ｍ２であり、繊維密度が約０．０３〜０．１ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシート等を用いることができる。前後ウエスト弾性体２８，３５及び臀部弾性体３６，後記の弾性体５０としては、例えば、所要の収縮力又は伸長応力を得るため、繊度が約３００〜５００ｄｔｅｘの複数条のストリング状又はストランド状の弾性材料を用いることができ、それらを離間寸法（ピッチ）が１０〜１５ｍｍであって、約１．５〜２．５倍に伸長した状態でシート部材に固定される。
【００２１】
吸収性シャーシ１２は、長方形状であって、前端部１２ａと、後端部１２ｂと、前後端部１２ａ，１２ｂ間に位置する中間部１２ｃとを有する。吸収性シャーシ１２は、肌対向面側に位置し、透液性を有する繊維不織布製の身体側ライナ４０と、曲状の両側縁を有する吸液性の吸収体４１と、吸収体４１の底面全体を覆う不透液性の防漏シート４２と、吸収性シャーシ１２の非肌対向面全体を形成する不透液性又は難透液性の被覆シート４３とを含む。吸収体４１は、フラッフパルプと超吸収性ポリマー粒子等との混合物から形成された芯材と、芯材全体を包被するティッシュペーパ等の液吸収拡散性のコアラップシートとを含む。
【００２２】
被覆シート４３は、防漏シート４２の両側縁から横方向Ｘの外側に位置する両側部４４を有する。両側部４４は、防漏シート４２の両側縁に隣接する折曲ライン（近位部）に沿って内側に折曲されて身体側ライナ４０に固定される。両側部４４は、縦方向Ｙにおいて互いに離間対向し、かつ、身体側ライナ４０に固定された両端固定部と、身体側ライナ４０の両側縁部に固定された近位縁部と、両端固定部間において縦方向Ｙに延びる遠位縁部４３ａとを有する。遠位縁部４３ａは被覆シート４３の外側縁を折曲して形成されたスリーブ状を有し、該スリーブ内には縦方向Ｙへ延びる複数条のストリング状又はストランド状の弾性体４５が伸長状態で収縮可能に配設される。弾性体４５が収縮することによって、遠位縁部４３ａが身体側ライナ４０から着用者の身体側へ離間し、着用者の大腿部にフィットして排泄物の漏れを防止する。また、身体側ライナ４０と被覆シート４３との間には、複数条のストリング状又はストランド状のレッグ弾性体４６が配設される。
【００２３】
吸収性シャーシ１２の前後端部１２ａ，１２ｂの肌対向面には、それぞれ、横方向Ｘへ伸長状態で収縮可能に取り付けられた前後弾性シート４８，４９が位置する。前弾性シート４８は、横長矩形状を有し、少なくとも吸収性シャーシ１２の両側縁よりも横方向Ｘの外側に位置する前ウエストシート２５及び吸収性シャーシ１２の両側部の肌対向面に固定される。後弾性シート４９は、略台形状を有し、縦方向Ｙにおいて互いに対向する中間内端縁及び外端縁と、縦方向Ｙに延びる両外側縁と、両外側縁と内端縁とをむすび凹曲状の両内側縁とから形成される。後弾性シート４９は、その両外側縁と両内側縁とが後ウエストシート３０の両側縁３０ｃ，３０ｄと両側内端縁３０ｅ，３０ｆとの一部と重なるように配置される。後弾性シート４９と吸収性シャーシ１２の後端部１２ｂとの間には、横方向Ｘへ延びる複数条のストリング状又はストランド状の弾性体５０が伸長状態で収縮可能に配設される。
【００２４】
前後弾性シート４８，４９としては、例えば、質量が約１５〜５０ｇ／ｍ２のエラストマー繊維からなる伸縮性繊維不織布を用いることができる。前後弾性シート４８，４９は、非伸長時の寸法よりも横方向Ｘに約２．４倍伸長された状態で前後ウエストシート２５，３０及び吸収性シャーシ１２に収縮可能に固定される。
【００２５】
図２を参照すると、後ウエスト域１４は、後ウエスト弾性体３５によって少なくとも横方向Ｘへの弾性を付与されたウエスト開口弾性域４７及び後上方弾性域５１と、後弾性シート４９及び弾性体５０とによって少なくとも横方向Ｘへの弾性を付与された後下方弾性域５２とを有する。各弾性域４７、５１，５２は、後両側縁１４ｃ，１４ｄ間において、後ウエスト域１４の縦方向Ｙの寸法Ｌ１を３等分した大きさ有する。
【００２６】
変形抑制手段２０の近位部２１は、少なくとも後ウエスト域１４の両側部１８における後上方弾性域５１の一部と平面視において重なって位置しており、後記のとおり、後上方弾性域５１の収縮時においてその収縮力よって起伏形状を呈する。後上方弾性域５１と後下方弾性域５２とは、同一又は異なる収縮力又は伸長応力を有するものであって、着用者の下腹部を圧迫することなくおむつ１０をフィットさせ、かつ、着用時におけるずり下がり等を防止するために、後上方弾性域５１の伸長応力が後下方弾性域５２のそれよりも高いことが好ましい。このように、比較的に伸長応力の高い後上方弾性域５１に変形抑制手段２０を取り付けることによって、横皺の発生によるたくれを防止し、おむつのずり下がりをより効果的に抑止しうる。また、着用者が生後２〜６ヶ月の低月齢の乳児の場合には、下腹部の当接する後下方弾性域５２の締め付けによって圧迫感を感じ易いので、通常よりもその伸長応力を低く設定することが好ましい。
【００２７】
図６を参照すると、変形抑制手段２０は、後ウエスト域１４の側部１８に接合域５３を介して固定された近位部２１を形成する内層シート５４と、遠位部２２を形成する外層シート５５とを含む。外層シート５５は、その両端縁５５ａ，５５ｂが内層シート５４の接合域５３と対向する面側に折り曲げられており、接合域５３の両端部からなる第１及び第２固定部６１，６２を介して固定される。また、外層シート５５は、第１及び第２固定部６１，６２間において、ウエスト回り方向へ並ぶ第３及び第４固定部６３，６４を介して内層シート５４に固定される。変形抑制手段２０は、内外層シート５４，５５の２枚のシートから構成されているが、後記の本願発明の効果を奏する限りにおいて、連続する１枚のシートから形成されていてもよい。
【００２８】
後ウエスト域１４は後ウエスト弾性体３５の収縮作用によって横方向Ｘに収縮し、横方向Ｘに連続する複数の皺７０が形成される。また、後ウエスト域１４における変形抑制手段２０の近位部２１が位置する領域には、少なくとも１条の後ウエスト弾性体３５が位置しており、該弾性体３５の収縮によって、変形抑制手段２０の内層シート５４は、後ウエスト域１４とともにウエスト回り方向へ連続する起伏が生じる。遠位部２２のうちの第１固定部６１と第３固定部６３との間に位置する部分は、それらの固定部６１,６３間に位置する近位部２１が変形してその長さ寸法が小さくなることによる影響を受けて、後ウエスト域１４の外面から離間する方向へ凸曲状に浮き上がった状態となり、第１凸曲部７１が形成される。同様に、第３固定部６３と第４固定部６４との間、第４固定部６４と第２固定部６２との間において、それぞれ、第２凸曲部７２と第３凸曲部７３とが形成される。
【００２９】
本実施形態において、第３及び第４固定部６３，６４は、縦方向Ｙにおいて互いに離間する複数のドット状を有するものであるが、内外層シート５４，５５を確実に固定する限りにおいて、それが縦方向Ｙに連続するものであってよい。
【００３０】
本実施形態に係るおむつ１０において、後ウエスト弾性体３５が比較的に疎に配置されていることよって、後上方弾性域５１の伸長応力は比較的に低く設定されており、弾性材料を固定するためのホットメルト接着剤によって前後ウエスト域１３，１４の両側部が硬くなったり、ごわついたりすることはなく、着用者の身体に柔軟にフィットする。一方、前後ウエスト域１３，１４を着用者の身体に強く締め付けていないので、着用中に両側部がたくれ落ちて横皺が生じ、おむつ１０全体のずり下がりを誘発する原因となるおそれがある。
【００３１】
本実施形態の変形抑制手段２０においては、遠位部２２がウエスト回り方向へ並ぶ複数の凸曲部７１，７２，７３を有することから、近位部２１と遠位部２２との間に縦方向Ｙへ延びるスペースが形成され、それらが縦方向Ｙへ延びるリブのような役割を果たし、その配置領域及び近傍における横皺の発生及びそれによる側部１８の変形を抑制する。特に、変形抑制手段２０が後ウエスト域１４の両側部１８における着用者の腰骨と対向して配置され、該領域の横皺の発生を阻害し、その変形を抑制することによって、着用者の腰骨近傍に後ウエスト域１４をフィットさせることができ、おむつ１０が着用者の腰下からずり下がるのを防止することができる。
【００３２】
図２を参照すると、かかる効果を奏するためには、おむつ１０の後ウエスト域１４の横方向Ｘの寸法Ｗ１が約３００〜４２０ｍｍ、縦方向における寸法Ｌ１が約７０〜１４０ｍｍの場合において、変形抑制手段２０の縦方向Ｙにおける寸法（幅寸法）Ｌ２が約１０〜６０ｍｍ、好ましくは、１５〜４０ｍｍ、横方向Ｘにおける寸法（長さ寸法）Ｗ２が約１５〜８０ｍｍ、好ましくは、２５〜４５ｍｍである。特に、ウエスト回りに延びる複数の横皺の発生を抑制するために、その幅寸法はおむつ１０の両側部１８の横方向Ｘにおける寸法の約２５〜６０％の大きさであることが好ましい。
【００３３】
再び、図５を参照すると、変形抑制手段２０は、それに隣接する後ウエスト域１４のウエスト開口側の部分（上側部分）６０Ａ及びレッグ開口側の部分（下側部分）６０Ｂよりも複数のシートが積層されてそのシート全体の質量が高く、かつ、縦方向Ｙに延びる複数のリブを形成することによって、たくれ難くなっており、両側部１８による横皺の発生やたくれ捲り等を防止することができる。一方、その上下方に位置する上下側部分６０Ａ，６０Ｂは所定の柔軟性を有するので、変形抑制手段２０の周辺が硬くなりすぎず、着用者が背中を丸めるような態勢となって該周辺が身体に触れるとしても、違和感を与えるおそれはない。
【００３４】
変形抑制手段２０を構成する内層シート５４は、繊維不織布、例えば、質量が約１０〜５０ｇ／ｍ２、好ましくは、約１５〜３０ｇ／ｍ２のスパンボンド繊維不織布、外層シート５５は、質量が約２０〜８０ｇ／ｍ２、好ましくは、約３０〜６０ｇ／ｍ２のスパンボンド繊維不織布を好適に用いることができる。また、外層シート５５の剛性が内層シート５４のそれよりも高いことが好ましい。外層シート５５の剛性が内層シート５４の剛性よりも高いことによって、後上方弾性域５１の収縮作用によって内層シート５４が変形しやすい一方、外層シート５５は内層シート５４に追従して変形せずに、外方へ凸曲し易くなる。内外層シート５４，５５の剛性差については、後記のＫＥＳ剛軟値の測定方法によって測定することができる。
【００３５】
接合域５３には、例えば、質量約５〜２０ｇ／ｍ２の好ましくは疎水性のホットメルト接着剤を使用することができる。第１〜第４固定部６１，６２，６３，６４は、ホットメルト接着剤を塗布したり、公知の加圧処理や加圧加熱処理を施すことによって設けることができる。第１及び第２固定部６１，６２は内外層シート５４，５５が剥離しないように固定されていることが必要である一方、第３及び第４固定部６３，６４においては、例えば、エンボス／デボス処理またはソニック処理によって設けることによって、仮り止めされていてもよく、変形抑制手段２０自体が熱可塑性の合成繊維を有するものである場合には、加圧加熱処理を施し、繊維が互いに熱融着することによって安定的に仮り止めすることができる。第３及び／又は第４固定部６３，６４が仮り止めされている場合には、第１〜第３凸曲部７１，７２，７３が連通して１つのループ形状を成すところ、遠位部２２がかかる形態を有する場合であっても、既述の効果を奏することができる。また、ウエスト回り方向において離間して配置された４以上の固定部を介して外層シート５５を内層シート５４に固定することによって、３つ以上の凸曲部を形成してもよい。
【００３６】
以下の各実施形態に係るおむつ１０は、第１実施形態におけるそれと基本的構成が同じであって、相違する点についてのみ説明する。
【００３７】
＜第２実施形態＞
図７を参照すると、本実施形態においては、変形抑制手段２０が１枚のベースシート７５から形成される。ベースシート７５は、その両端部７５ａ，７５ｂが、第１及び第２固定部７６ａ，７６ｂを介して後ウエスト域１４の外面に直接的に接着又は融着によって固定される。また、ベースシート７５は、第１及び第２固定部７６ａ，７６ｂ間（それらのほぼ中央）に位置する第３固定部７６ｃにおいて分離可能／又は分離不能に後ウエスト域１４に固定される。このように、変形抑制手段２０が１枚のシート部材から形成されている場合であっても、複数の縦方向Ｙへ延びるループが形成されてそれがリブのような役割を果たすので、第１実施形態と同様に、後ウエスト域１４の両側部１８における横皺の発生及びその変形を抑制し、両側部１８のたくれ落ちを防止することができる。
【００３８】
＜第３実施形態＞
図８を参照すると、本実施形態においては、変形抑制手段２０が１枚のベースシート７７から形成される。ベースシート７７は、ホットメルト接着剤を塗布した接合域５３を介して後ウエスト域１４の外面に固定された近位部２１と、折曲部位７８を介して外側へ折り曲げられた遠位部２２とを有する。ベースシート７７の両端部７７ａ，７７ｂは互いに重ねられ、前後ウエスト域１３，１４の両側縁１３ｄ，１４ｄとともにサイドシーム２３において接合される。かかる場合においては、ベースシート７７の両端部７７ａ，７７ｂがサイドシーム２３において安定的に接合されているので、おむつ１０の着用中等において、両端部７７ａ，７７ｂにそれを剥離しようとする力が作用したとしても、後ウエスト域１４の外面から分離されるおそれはない。また、縦方向Ｙへ延びる単一のループが形成されるので、両側部１８における横皺の発生及びその変形を抑制することができる。
【００３９】
＜第４実施形態＞
図９を参照すると、本実施形態においては、断面Ｚ字型に折り畳まれた状態で、後ウエスト域１４の外面に固定された１枚のテープであるベースシート８０を含む。ベースシート８０は、プラスチックシートから形成されていてもよいが、着用者の身体に対する肌当たり等を考慮して、プラスチックシートよりも柔軟性のある繊維不織布シートから形成されていることが好ましい。変形抑制手段２０は、接合域５３を介して後ウエスト域１４の外面に固定された近位部２１と、近位部２１から変形抑制手段２０の長さ方向へ延びる遠位部２２とを有する。遠位部２２は、第１及び第２折曲部８０ａ，８０ｂにおいて折曲されており、近位部２１と連なりそれと変形抑制手段２０の厚さ方向Ｚにおいて対向する第１遠位部８１と、第１遠位部８１に連なりそれと厚さ方向Ｚにおいて対向する第２遠位部８２とを有する。近位部２１、第１及び第２遠位部８１，８２は、積層された状態において第１及び第２折曲部８０ａ，８０ｂに位置する第１及び第２仮止め部８４，８５によって仮止めされる。遠位部２２は、第２折曲部８０ｂに位置する第２仮止め部８５からサイドシーム２３側へ延びる摘持部８３をさらに有する。第１及び第２仮止め部８４，８５間における第２遠位部８２の内面には、メカニカルファスナのフック要素や感圧性接着剤から形成された掛止め域（ファスニング域）８８が配置される。本実施形態においては、掛止め域８８にフック要素を有するフックシートが配置される。
【００４０】
本実施形態においては、第１仮止め部８４と第２仮止め部８５との間に位置する近位部２１が後ウエスト域１４とともに収縮してその長さ寸法が小さくなることによって、それに対向する遠位部２２の部分が後ウエスト域１４から離間する方向へ凸曲し、凸曲部が形成される。凸曲部が形成されることによって、おむつ１０の着用中においてそれが縦方向Ｙへ延びるリブのような役割を果たし、該配置領域における横皺の発生を防止しうる。
【００４１】
図１０及び１１を参照すると、第１及び第２仮止め部８４，８５の止着を解除して変形抑制手段２０を展開し、展開した変形抑制手段２０を第２遠位部８２の掛止め域８８を介して前ウエスト域１３の外面に掛止することができる。変形抑制手段２０のベースシート８０は繊維不織布製である場合には、それが比較的に剛性の高いプラスチックシートから形成される場合に比して柔軟であって、湾曲した前ウエスト域１３の外面に沿って延びることができ、おむつ１０の横方向Ｘ（胴周り方向）における収縮を阻害することはなく、かつ、たくれ防止となる変形抑止手段としての形態をなすこともできる。前記のとおり、近位部２１が後ウエスト域１４の収縮に合せて変形し易く、遠位部２２全体にはそれを後ウエスト域１４側に引っ張ろうとする力が作用する。したがって、前ウエスト域１３の外面に掛止めされた遠位部２２が後方へ引っ張られて、おむつ１０の両側部１８が近位部２１と遠位部２２との間で引き寄せられるので、前後ウエスト域１３，１４を着用者の身体にフィットさせることができ、サイズ調整が容易である。このように、変形抑制手段２０はそれを展開しない状態において、後ウエスト域１４におけるたくれ落ちを防止することができる一方、それを展開して掛止め域８８を前ウエスト域１３の外面に掛止めすることによって、ウエスト回りの寸法と小さくしてサイズ調整することができ、これらのいずれかの使用態様を２者択一的に選択することができる。
【００４２】
＜曲げ剛性値＞
既述のとおり、変形抑制手段２０は繊維不織布から形成されていることから、プラスチックフィルムから形成されている場合に比して柔軟性に優れており、さらに、変形抑制手段２０において最も剛性が高くなる部分は掛止め域８８のフックシートが位置する部分（高剛性部）であるところ、フックシートとして比較的に柔軟な材料を使用することによって、変形抑制手段２０の幅方向における柔軟性をさらに向上させることができる。
【００４３】
具体的には、変形抑制手段２０の折り畳まれた状態における、高剛性部を除く部分の縦方向Ｙ（変形抑制手段２０の幅方向であって、両側縁どうしが互いに近づく方向）のＫＥＳ曲げ剛性値は０．０４〜０．４４ｇｆ・ｃｍ２／ｃｍ、高剛性部の縦方向Ｙ（変形抑制手段２０の幅方向であって、両側縁どうしが互いに近づく方向）におけるＫＥＳ曲げ剛性値は約０．５６〜１．８ｇｆ・ｃｍ２／ｃｍである。従来における、廃棄用またはサイズ調整用として使用される、プラスチックフィルムから形成されたテープファスナの折り畳まれた状態におけるＫＥＳ曲げ剛性値は、約２．０ｇｆ・ｃｍ２／ｃｍであることから、本実施形態の変形抑制手段２０は従来のテープファスナに比べて幅方向における曲げ剛性値が低く、柔軟性に優れる。かかる曲げ剛性値となるために、ベースシート８０には質量約３０〜１００ｇ／ｍ２のスパンボンド不織布を用いることが好ましく、少なくとも折り畳まれた状態における変形抑制手段２０の両側縁から所与寸法離間して第１及び第２仮止め部８４，８５が位置し、かつ、積層された部分の対向面全体が仮止めされていないことが好ましい。
【００４４】
＜曲げ剛性値の測定方法＞
変形抑制手段２０およびそれに隣接する上下側部分６０Ａ，６０Ｂの曲げ剛性値は、ＫＥＳ法に基づいて測定した。本測定に使用したＫＥＳ法に関しては、「風合い評価の標準化と解析」第２版（社団法人日本繊維機械学会  風合い計量と規格化研究委員会  昭和５５年７月１０日発行）に詳細が説明されている。よって、各力学的性質ごとの測定方法に関し、本測定に関連した計測条件についてのみ以下に述べる。
【００４５】
曲げ特性の測定（ＫＥＳ剛性値）は、カトーテック（株）製ＫＥＳ−ＦＢ２を用いて、おむつ１０から変形抑制手段２０を取り外し、かつ、上下側部分６０Ａ，６０Ｂをそれぞれ前後ウエストパネル１６，１７から切り出してサンプルとした。このとき、各サンプルの幅寸法（縦方向Ｙの寸法）が同じになるように、上下側部分６０Ａ，６０Ｂの幅寸法が変形抑制手段２０の幅寸法とほぼ同じになるように切り出した。各サンプルを１ｃｍ間隔のチャック間に固定し、最大曲率＋２．５ｃｍ-1まで表側に曲げ、次に、最大曲率−２.５ｃｍ-1まで裏側に曲げた後に元に戻すことによって行った。サンプルは重力の影響を少なくするために垂直にした状態で測定をし、曲げ剛性Ｂ［ｇｆ・ｃｍ２／ｃｍ］は、表側に曲げはじめて曲率に対する曲モーメントの傾きがほぼ一定になったときの傾きから算出した。また、曲げ剛性Ｂは、おむつの縦方向Ｙ（変形抑制手段２０の幅方向）に関して測定したものである。
【００４６】
図１２を参照すると、本実施形態における、おむつ１０を廃棄する態様の一例が示されており、まず、おむつ１０の使用後に、サイドシーム２３を剥離して前後ウエスト域１３，１４の両側縁部を離間させ、該両側縁部を内側へ折り曲げ、クロッチ域１５を前後ウエスト域１３，１４に向かって丸め込むように折り曲げる。次に、変形抑制手段２０の遠位部２２を掛止め域６８を介してクロッチ域１５の外面に掛止めする。これにより、おむつ１０を丸めた状態を保持することができ、排泄物を外部に漏らすことなく衛生的に廃棄することができる。
【００４７】
＜第５実施形態＞
図１３及び１４を参照すると、本実施形態に係るおむつ１０においては、第４実施形態と同様に、変形抑制手段２０が、好ましくは繊維不織布から形成されたテープ状のベースシート８０から構成される。ベースシート８０は、３つに折曲されて重ねられた状態で後ウエスト域１４の外面に固定されており、遠位部２２における近位部２１と掛止め域６８との間、より具体的には、第１折曲部８０ａと掛止め域８８との間には、ベースシート８０にそれとは別体のシート部材から形成された補助シート片８９が積層される。ベースシート８０と補助シート片８９とが積層された領域は、近位部２１及び第２遠位部８２に比べて剛性が高い高剛性領域が形成される。
【００４８】
本実施形態に係る変形抑制手段２０においては、その掛止めされた状態において全体が後ウエスト域１４の収縮によって後方へ引っ張れたとしても、近位部２１と掛止め域８８との間に高剛性領域が形成されていることによって、掛止め域８８が安定的に前ウエスト域１３の外面に掛止めされ、それが解除されるおそれはない。すなわち、前後ウエスト域１３，１４がウエスト周り方向に伸縮することによって、変形抑制手段２０はウエスト回り方向へ引っ張られ、変形抑制手段２０が変形してその両側縁部が反り返ったような状態となる。このように両側縁部が反り返ることによって掛止め域８８には剥離力が作用して剥離し易くなるところ、近位部２１と掛止め域８８との間に高剛性領域を配置することによって、変形抑制手段２０を変形しようとする力を分散し、その変形を抑えることができる。また、変形抑制手段２０を前ウエスト域１２に掛止めすることによって、サイドシ―ム２３が位置するおむつ１０の側縁部１９が前ウエスト域１２側へ倒伏される。倒伏された側縁部１９は、元の状態に復帰しようとしてそれに対向して当接する第１遠位部８１に外方へ向かう力を加え、遠位部２２を凸曲状に変形させようとする。側縁部１９近傍の遠位部２２がこのように変形することによって、掛止め域８８には剥離力が作用するが、高剛性領域がおむつ１０の側縁部１９と掛止め域８８との間に位置することによって遠位部２２の変形を抑え、掛止め域８８に剥離力が作用するのを抑制することができる。
【００４９】
かかる効果を奏するために、遠位部２２のうちの近位部２１と掛止め域８８との間に位置する部分、すなわち、第１遠位部８１及び第２遠位部８２の一部との全域に補助シート片８９が配置され、高剛性領域が形成されていてもよい。かかる態様の場合には、近位部２１から掛止め域８８における変形抑制手段２０の反り返りや変形を抑えることができるからである。
【００５０】
＜第６実施形態＞
図１５〜１７を参照すると、本実施形態においては、変形抑制手段２０が断面Ｚ字型に折り畳まれた状態で後ウエスト域１４の外面に固定された１枚のテープであるベースシート９０と、シート片（外層シート）９９とを含む。変形抑制手段２０は、接合域５３を介して後ウエスト域１４の外面に固定された近位部２１と、遠位部２２とを有する。遠位部２２は、近位部２１と連なりそれと変形抑制手段２０の厚さ方向Ｚにおいて対向する第１遠位部９１と、第１遠位部９１に連なりそれと厚さ方向Ｚにおいて対向する第２遠位部９２とを有する。近位部２１，第１及び第２遠位部９１，９２は、積層された状態において第１及び第２折曲部９１ａ，９１ｂに位置する第１及び第２仮止め部９４，９５によって仮り止めされる。遠位部２２は、第２折曲部９１ｂに位置する第２仮止め部９５からサイドシーム２３側へ延びる摘持部９３をさらに有する。第１及び第２仮止め部９４，９５間における第２遠位部９２の内面には、メカニカルファスナのフック要素や感圧性接着剤から形成された掛止め域（ファスニング域）９８が配置される。また、第１遠位部９１の近位部２１と対向する側には、シート片９９が配置されており、シート片９９は第１及び第２仮止め部９４，９５において第１遠位部９１と分離可能に固定され、かつ、近位部２１とは分離不能に固定される。
【００５１】
本実施形態にかかる変形抑制手段２０において、第１及び第２仮止め部９４，９５間に位置するシート片９９は、それに対向する近位部２１が収縮して変形することによって、外方へ凸曲した形態を呈する。シート片９９が凸曲形状を呈することによって、それに接する第１及び第２遠位部９１，９２もシート片９９に沿って外方へ凸曲する。シート片９９は、第１実施形態における外層シート５５と同様の材料から形成することができ、後ウエスト域１４の収縮作用によって凸曲形状を呈しやすくなるように、その剛性がベースシート９０の剛性よりも高いものであることが好ましい。
【００５２】
図１６，１７を参照すると、操作者が把持部９３を摘んで変形抑制手段２０を引っ張り上げて、第１及び第２仮止め部９４，９５による第１遠位部９１とシート片９９、第１遠位部９１と第２遠位部９２との接合を解除する一方、シート片９９と近位部２１との接合を解除しない状態において変形抑制手段２０を展開し、掛止め域９８を前ウエスト域１３の外面に掛止めすることができる。このように、変形抑制手段２０を展開してその掛止め域９８を前ウエスト域１３に掛止めすることによって前後ウエスト域１３，１４の両側部がたぐり寄せられてウエスト回り寸法を小さくすることができる。また、シート片９９と近位部２１との仮り止めが維持されていることによって、シート片９９は近位部２１の変形によって外方へ凸曲した形状を呈し、後ウエスト域１４の両側部１８におけるたくれ落ちの原因となる横皺の発生を抑制することができる。
【００５３】
おむつ１０を構成する各構成材料には、特に限定されている場合を除き、本明細書に記載されている材料のほかに、この種の分野において通常用いられている、各種公知の材料を制限なく使用することができる。また、おむつ１０は、前ウエスト域１３と、後ウエスト域１４と、クロッチ域１５とが一連に形成された態様であってもよい。本明細書及び特許請求の範囲において、用語「第１」、「第２」及び「第３」は、同種の要素、位置等を単に区別するために用いられている。
【００５４】
以上の記載した本発明に関する開示は、少なくとも下記事項に整理することができる。
縦方向及びそれに直交する横方向を有し、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合された使い捨てのパンツ型着用物品において、前記第１ウエスト域の側縁部の近傍において変形抑制手段が取り付けられており、前記第１及び第２ウエスト域のうちの少なくとも前記第１ウエスト域は前記横方向において弾性を有する弾性域を含み、
前記変形抑制手段は前記第１ウエスト域に固定されたシート部材から構成されており、前記第１ウエスト域の弾性域が収縮することによって前記第１ウエスト域から外方へ凸曲する少なくとも１つの凸曲状部を有し、前記第１ウエスト域と前記凸曲状部との間には前記縦方向へ延びるスペースが形成されることを特徴とする前記着用物品。
【００５５】
上記段落００５４に開示した本発明は、少なくとも下記の実施の形態を含むことができる。該実施の形態は、分離して又は互いに組み合わせて採択することができる。
（１）前記変形抑制手段は、前記第１ウエスト域に固定された近位部と、前記近位部に分離可能又は分離不能に固定された遠位部とを有し、前記近位部が前記第１ウエスト域とともに収縮することによって、前記遠位部に前記凸曲状部が形成される。
（２）前記近位部と前記遠位部とが前記横方向において互いに離間する複数の固定部を介して固定されており、前記固定部間に位置する前記遠位部に前記凸曲状部が形成される。
（３）前記変形抑制手段を構成するシート部材が、前記近位部を形成する内層シートと、前記遠位部を形成する外層シートとから構成される。
（４）前記外層シートの剛性が前記内層シートの剛性よりも高い。
（５）前記変形抑制手段が繊維不織布シートから形成される。
（６）前記変形抑制手段において、前記遠位部は、前記第２ウエスト域の外面に剥離可能に掛止めするための掛止め域を有し、折曲された状態で仮止め部を介して前記近位部に仮り止めされており、前記仮止め部は、前記横方向において離間する第１及び第２仮止め部を有し、前記掛止め域は、前記第１及び第２仮止め部間における前記遠位部の内面に位置する。
（７）前記掛止め域は、メカニカルファスナのフック要素を有するフックシートから形成されており、前記繊維不織布シートの折り畳まれた状態における、前記掛け止め域の存在領域を除く部分の前記変形抑制手段の両側縁どうしが互いに近づく方向のＫＥＳ曲げ剛性値は０．０４〜０．４４ｇｆ・ｃｍ２／ｃｍ、前記掛止め域の存在領域における前記変形抑制手段の両側縁どうしが互いに近づく方向のＫＥＳ曲げ剛性値は約０．５６〜１．８ｇｆ・ｃｍ２／ｃｍである。
（８）前記遠位部のうちの前記近位部と前記掛止め域との間には、前記近位部よりも剛性の高い高剛性域が形成される。
（９）前記遠位部は、折曲された状態で前記横方向において離間する第１及び第２仮止め部を介して前記近位部に仮り止めされており、前記近位部と対向して位置する第１遠位部と、前記第１遠位部の外面側に位置し、かつ、その内面に前第２ウエスト域の外面に剥離可能に掛止めするための掛止め域を有する第２遠位部とを有し、前記第１遠位部の前記近位部と対向する面には、両端が前記第１及び第２仮止め部と重なる固定部を介して前記近位部に固定されたシート片が配置される。
【符号の説明】
【００５６】
１０  使い捨てのパンツ型着用物品（使い捨ておむつ）
１３  前ウエスト域（第１又は第２ウエスト域）
１４  後ウエスト域（第１又は第２ウエスト域）
１５  クロッチ域
１８  後ウエスト域の側部
２０  変形抑制手段
２１  近位部
２２  遠位部
５１  後上方弾性域
５４  内層シート
５５  外層シート
６０Ａ  上側部分
６０Ｂ  下側部分
６１  第１固定部
６２  第２固定部
６３  第３固定部
６４  第４固定部
７１  第１凸曲部（凸曲部）
７２  第２凸曲部（凸曲部）
７３  第３凸局部（凸曲部）
７５  ベースシート
７６ａ，７６ｂ，７６ｃ  固定部
７７  ベースシート
８０  ベースシート
８１  第１遠位部
８２  第２遠位部
８４  第１仮止め部
８５  第２仮止め部
８８  掛止め域
９０  ベースシート
９１  第１遠位部
９２  第２遠位部
９４  第１仮止め部
９５  第２仮止め部
９９  シート片
【図１】
2015134020.tif 000003
【図２】
2015134020.tif 000004
【図３】
2015134020.tif 000005
【図４】
2015134020.tif 000006
【図５】
2015134020.tif 000007
【図６】
2015134020.tif 000008
【図７】
2015134020.tif 000009
【図８】
2015134020.tif 000010
【図９】
2015134020.tif 000011
【図１０】
2015134020.tif 000012
【図１１】
2015134020.tif 000013
【図１２】
2015134020.tif 000014
【図１３】
2015134020.tif 000015
【図１４】
2015134020.tif 000016
【図１５】
2015134020.tif 000017
【図１６】
2015134020.tif 000018
【図１７】
2015134020.tif 000019